(57)【特許請求の範囲】
【請求項１】
板状本体部及び複数の弾性スイッチレバー部を具備する端子板であって、各スイッチレバー部が基端部の一側において板状本体部の外周縁部につながると共に基端部の該一側において板状本体部の外周縁部に対して折曲げられ該基端部から該本体部の延在面に交差する面に沿って該板状本体部の外周縁部に沿う方向に延び先端側に押圧力受部を備えた腕部及び該腕部の押圧力受部から更に延在されてなる弾性接点部を具備するものと、
各弾性スイッチレバー部の腕部の前記押圧力受部に押圧力がかかった際、各弾性スイッチレバー部の該押圧力受部の背後において該押圧力を受けると共に該押圧力受部の変位を案内すべく前記各弾性スイッチレバー部の前記押圧力受部の背後において可動に設けられた弾性スイッチレバー支持用の剛性支持レバーと
を有するスイッチ構造体。
【請求項２】
前記剛性支持レバーが回動可能に支持されている請求項１に記載のスイッチ構造体。
【請求項３】
前記剛性支持レバーは、各弾性スイッチレバー部の腕部とは逆向きに折り曲げられている請求項１又は２に記載のスイッチ構造体。
【請求項４】
各弾性スイッチレバー部の弾性接点部がＵ字状に湾曲した弾力性湾曲アーム部分を備える請求項１から３までの何れか一つの項に記載のスイッチ構造体。
【請求項５】
スタート／ストップボタン及びリセットボタンのうちの少なくとも一方のボタンが請求項１から４までの何れか一つの項に記載のスイッチ構造体の腕部の押圧力受部に押圧力を及ぼすべく構成されており、スタート／ストップボタンの押圧に伴い回動される発停レバーによってクロノグラフ指針の計時動作が開始又は停止され、リセットボタンの押圧に伴い回動される帰零指示レバーによってクロノグラフ指針が帰零されるように構成されたクロノグラフ機構。
【請求項６】
前記帰零指示レバーの回動に伴いクロノグラフ指針を強制的に機械的に帰零させる復針レバーを備える請求項５に記載のクロノグラフ機構。
【請求項７】
請求項１から４までのいずれか一つの項に記載のスイッチ構造体又は請求項５若しくは６に記載のクロノグラフ機構を有する電子時計。
【発明の詳細な説明】
【技術分野】
【０００１】
本発明は、スイッチ構造体並びにこれを用いたクロノグラフ機構及び電子時計に係る。
【背景技術】
【０００２】
板状本体部及びスイッチレバー部を具備する端子板であって、スイッチレバー部が基端部の一側において板状本体部の外周縁部につながると共に基端部の該一側において板状本体部の外周縁部に対して折曲げられ該基端部から該本体部の延在面に交差する面に沿って該板状本体部の外周縁部に沿う方向に延び先端側に押圧力受部を備えた腕部及び該腕部の押圧力受部から更に延在されてなる弾性接点部を具備するもの（端子板）を有するスイッチ構造体は知られている（特許文献１）。また、スタート／ストップ（発停）ボタン及びリセットボタン（帰零）が対応するスイッチ構造体の先端側端部に押圧力を及ぼすべく構成されており、スタート／ストップボタンの押圧に伴い回動される発停レバーによってクロノグラフ指針の計時動作が開始又は停止され、リセットボタンの押圧に伴い回動される帰零指示持レバーによってクロノグラフ指針が帰零されるように構成されたクロノグラフ機構も知られている。更に、このようなスイッチ構造体を備えた電子時計も知られている。
【０００３】
この種の電子時計のクロノグラフ機構のスイッチ構造体においては、腕部の先端側に位置する押圧力受部に加えられる押圧力によりスイッチレバー部の腕部が撓むことから、該腕部の先端側の押圧力受部が電子時計の主面に概ね平行な面内で揺動されるだけでなく、多少なりとも電子時計の主面に垂直な方向（電子時計の厚さ方向）の位置に応じて異なる変位を受けるのを避け難く、スタート／ストップボタンやリセットボタンが該スイッチ構造体の先端側端部に加える変位と腕部の延在端部の先端部分に形成された接点部の変位との間に想定外のズレが生じる虞れがあるだけでなく、時計の厚さ方向の構造の変更に伴い該ズレが接点の動作に無視し難い不具合を生じさせる虞れがある。
【０００４】
すなわち、スタート／ストップボタンやリセットボタンの押圧に伴ってクロノグラフ機構のうち機械的な部分を構成する機械的なレバーに生じる各種の回動動作と該スタート／ストップボタンやリセットボタンの押圧に伴う接点の電気的なオン／オフ動作とにズレが生じる虞れがある。
【０００５】
このようなズレは上記のような三次元構造を有するスイッチ構造体においては多少なりとも不可避であり、このようなズレを考慮した構造等の設計は複雑であるだけでなく、多少なりともボタン位置が変わるだけで設計変更を要する。
【先行技術文献】
【特許文献】
【０００６】
【特許文献１】特開昭６１−８３９９１号公報（第１１図等）
【発明の概要】
【発明が解決しようとする課題】
【０００７】
本発明は前記した点に鑑みなされたものであって、その目的とするところは、厚さ方向のボタン位置が変わっても押圧力の付与及び接点の動作が適切に行われ得るスイッチ構造体並びにこれを用いたクロノグラフ機構及び電子時計を提供することにある。
【課題を解決するための手段】
【０００８】
本発明のスイッチ構造体は、前記目的を達成すべく、板状本体部及び複数の弾性スイッチレバー部を具備する端子板であって、各スイッチレバー部が基端部の一側において板状本体部の外周縁部につながると共に基端部の該一側において板状本体部の外周縁部に対して折曲げられ該基端部から該本体部の延在面に交差する面に沿って該板状本体部の外周縁部に沿う方向に延び先端側に押圧力受部を備えた腕部及び該腕部の押圧力受部から更に延在されてなる弾性接点部を具備するものと、各弾性スイッチレバー部の腕部の前記押圧力受部に押圧力がかかった際、各弾性スイッチレバー部の該押圧力受部の背後において該押圧力を受けると共に該押圧力受部の変位を案内すべく前記各弾性スイッチレバー部の前記押圧力受部の背後において可動に設けられた弾性スイッチレバー支持用の剛性支持レバーとを有する。
【０００９】
本発明のスイッチ構造体では、「各弾性スイッチレバー部の腕部の押圧力受部に押圧力がかかった際、各弾性スイッチレバー部の該押圧力受部の背後において該押圧力を受けると共に該押圧力受部の変位を案内すべく各弾性スイッチレバー部の前記押圧力受部の背後において可動に設けられた弾性スイッチレバー支持用の剛性支持レバー」を備えるが故に、スイッチ構造体の腕部の押圧力受部が剛性支持レバーによって規定された変位をし得るから、押圧力の付与される押圧力受部の変位と該押圧力受部から更に延在されてなる弾性接点部の変位との間の想定外のズレが最低限に抑えられ得、厚さ方向のボタン位置が変わっても押圧力の付与による変位動作と接点の動作とのタイミングが所定に保たれ得る。その結果、例えば、時計の厚さ方向における押しボタンスイッチの位置を容易に変更し得るから、時計のデザインを変更することが容易になる等、時計の設計の自由度が増す。
【００１０】
本発明のスイッチ構造体では、典型的には、前記剛性支持レバーが回動可能に支持されている。
【００１１】
その場合、比較的簡単な構造で、弾性スイッチレバー部の腕部が剛性支持レバーによって支持され得る。この場合、剛性支持レバーのうち、弾性スイッチレバー部の腕部の押圧力受部の背後に位置する支持壁部が該腕部の押圧力腕部を背後で支えつつ回動されることになる。回動の場合、腕部の撓みを回動で近似することから、回動中心は、典型的には、弾性スイッチレバー部の腕部根元から、概ね１／３程度の部位である。但し、「腕部の前記押圧力受部に押圧力がかかった際、各弾性スイッチレバー部の該押圧力受部の背後において該押圧力を受けると共に該押圧力受部の変位を案内し得る」限り、回動可能である代わりに、一つの回動中心がなくてもよく例えば揺動可能であってもよい。
【００１２】
本発明のスイッチ構造体では、典型的には、前記剛性支持レバーは、各弾性スイッチレバー部の腕部とは逆向きに折り曲げられている（例えば、弾性スイッチレバーの腕部が上から下に折り曲げられているとすると、下から上に折り曲げられている）。
【００１３】
その場合、占有スペースを最低限に抑えつつ、腕部の側方への撓みを確実に抑し易い。例えば、端子板が時計の文字板側に位置する電池プラス端子の如き基準電位付与部材からなる場合、剛性支持レバーの基部を端子板とは逆側に位置する地板で支持することが可能になるので、安定な支持が容易に行われ易い。この場合、剛性支持レバーから一体的に突設したピン状回動軸を地板で回動自在に支えても、地板から突設したピン状軸によって剛性支持レバーを回動自在に支持してもよい。
【００１４】
なお、剛性支持レバー自体が腕部の押圧力受部を背後で支える十分な剛性を支持壁部が有する限り、該支持壁部が腕部と逆向きに折り曲げられる代わりに、同じ向きに折り曲げられていても、場合によっては、回動軸に平行な折曲線に沿って（回動方向に又はその逆に）折曲げられていてもよい。
【００１５】
本発明のスイッチ構造体では、典型的には、各弾性スイッチレバー部の弾性接点部がＵ字状に湾曲した弾力性湾曲アーム部分を備える。
【００１６】
その場合、接点部に過度な押圧力がかかるのを抑制し易い。
【００１７】
本発明のクロノグラフ機構は、前記目的を達成すべく、スタート／ストップボタン及びリセットボタンのうちの少なくとも一方のボタンが上述のようなスイッチ構造体の先端側端部に押圧力を及ぼすべく構成されており、スタート／ストップボタンの押圧に伴い回動される発停レバーによってクロノグラフ指針の計時動作が開始又は停止され、リセットボタンの押圧に伴い回動される帰零指示レバーによってクロノグラフ指針が帰零されるように構成されている。
【００１８】
その場合、レバーによる機械的なクロノグラフ動作のタイミングと接点による電子的（電気的）なクロノグラフ動作のタイミングとが確実に合わされ得る。
【００１９】
本発明のクロノグラフ機構では、典型的には、帰零指示レバーの回動に伴いクロノグラフ指針を強制的に機械的に帰零させる復針レバーを備える。
【００２０】
その場合、電子的な帰零指示等のタイミングと機械的な帰零指示等のタイミングとが確実に合わされ得る。なお、この場合、スイッチレバー支持レバーは、典型的には、スイッチレバー部の背後において、押しボタンの押圧に応じて、クロノグラフ機構の機械的な帰零に係るレバーを変位させるように構成される。
【００２１】
本発明の電子時計は、前記目的を達成すべく、上述のようなスイッチ構造体又は上述のようなクロノグラフ機構を有する。
【図面の簡単な説明】
【００２２】
【図１】本発明の好ましい一実施例のスイッチ構造体を備えた本発明の好ましい一実施例のクロノグラフ機構を有する本発明の好ましい一実施例の電子時計としての電子駆動機械帰零式クロノグラフ時計の本体部（ムーブメント）を裏蓋側且つ巻真側から見た斜視説明図。
【図２】図１の電子時計の本体部を裏蓋側から見た平面説明図。
【図３】図１の電子時計の本体部を文字板側から見た平面説明図。
【図４】図１の電子時計について、巻真側から矢印ＩＶ方向に見た側面説明図。
【図５】図１の電子時計の本体部について、電池プラス端子を取除いた状態において、図２と同様に、裏蓋側から見た平面説明図。
【図６】図１の電子時計の本体部について、地板の文字板側にある部品を取除いた状態において、図３と同様に、文字板側から見た平面説明図。
【図７】図1の電子時計の本体部のスイッチ構造体の部分を拡大して示した斜視説明図。
【図８】図１の電子時計の本体部のうち、主として、地板によるスイッチレバー部支持レバーの回動支持に係る部分を拡大して示した一部破断断面説明図。
【図９】図１の電子時計の本体部について、クロノグラフ下板及び輪列受を取除いて、主として輪列を含む部分を示した斜視説明図。
【図１０】図1の電子時計の本体部の中心を含む一部の部分についての縦断面説明図。
【図１１】図1の電子時計の外観を文字板側から見た平面説明図。
【図１２】図１の電子時計の本体部のうち、地板によるスイッチレバー部支持レバーの回動支持に係る部分について、図８の例の一変形例を図８と同様に拡大して示した一部破断断面説明図。
【発明を実施するための形態】
【００２３】
本発明の好ましい一実施の形態を添付図面に示した好ましい一実施例に基づいて説明する。
【実施例】
【００２４】
本発明の好ましい一実施例の電子時計としてのクロノグラフ時計１は、クロノグラフ機能を備え、より詳しくは、電気機械的に駆動されて機械的に帰零される電子（ないし電気）駆動機械帰零式のクロノグラフ時計１である。このクロノグラフ時計１において、クロノグラフ機構７は、電気機械的クロノグラフ機構７Ａと機械的なクロノグラフ機構７Ｂとを含む。例えば、クロノグラフ時計１は、図１及び図９〜図１１からわかるように、電池１１を電源として通常運針用モータ１２及びクロノグラフ運針用モータ１３を備え、該モータ１２及び１３によって夫々の関連輪列すなわち通常運針用輪列１４及びクロノグラフ輪列１５を介して電気的・電子的に駆動される。電気機械的なクロノグラフ機構７Ａは、クロノグラフ運針用モータ１３及びクロノグラフ輪列１５並びに後で詳述するクロノグラフ動作の発停用スイッチ接点１３５，６７及び帰零用スイッチ接点２３５，６８を含む。１９はりゅうず、１８は巻真である。
【００２５】
クロノグラフ時計１の本体ないしムーブメント８は、図９〜図１１からわかるように、通常運針用モータ１２のロータ１２ａから、五番車９１を介して回転される秒車９２、該秒車９２から三番車９３を介して回転される分車９４、該分車９４から日の裏車９５を介して回転される時車９６を有する。秒車９２、分車９４及び時車９６には、秒針９７、分針９８及び時針９９が取付けられている。図１０の断面説明図及び図１１の外観図からわかるように、分針９８及び時針９９は時計１の中心軸線Ｃのまわりで回転され、秒針９７は、該中心軸線Ｃから離れたところで回転される小秒針の形態である。通常運針用輪列１４のうち大半の車９２，９３，９４等は、地板２と輪列受３との間で支持され、時車９６等は地板２の文字板４側で、日車押え９ａにより支持されている。
【００２６】
クロノグラフ時計１は、また、図１０の断面説明図、図１１の外観図及び図９の斜視説明図等からわかるように、中心軸線Ｃのまわりで回転される秒クロノグラフ真８１ｄに取付けられたクロノグラフ秒針８１ａ、１２時の位置にある回転中心Ｃ１のまわりで回転される分クロノグラフ真８２ｄに取付けられたクロノグラフ分針８２ａ、及び９時の位置にある回転中心Ｃ２のまわりで回転される時クロノグラフ真８３ｄに取付けられたクロノグラフ時針８３ａを有する。また、図９及び後で詳述する図５からわかるように、各クロノグラフ真８１ｄ，８２ｄ，８３ｄには、夫々のハートカム８１ｂ，８２ｂ，８３ｂが嵌着されている。
【００２７】
図１０からわかるように、秒クロノグラフ真８１ｄには、秒クロノグラフ歯車８１ｃが押えばね８１ｅを介してすべり回転可能に嵌合されている。同様に、図９に示したように、分クロノグラフ真８２ｄには、分クロノグラフ歯車８２ｃが押えばね（図示せず）を介してすべり回転可能に嵌合され、時クロノグラフ真８３ｄには、時クロノグラフ歯車８３ｃが押えばね（図示せず）を介してすべり回転可能に嵌合されている。ここで、秒クロノグラフ真８１ｄ、秒ハートカム８１ｂ及び秒クロノグラフ歯車８１ｃ等によって秒クロノグラフ車８１が構成され、分クロノグラフ真８２ｄ、分ハートカム８２ｂ及び分クロノグラフ歯車８２ｃ等によって分クロノグラフ車８２が構成され、時クロノグラフ真８３ｄ、時ハートカム８３ｂ及び時クロノグラフ歯車８３ｃ等によって時クロノグラフ車８３が構成される。
【００２８】
クロノグラフ輪列１５は、概ね、輪列受３やクロノグラフ下板５のレベルに配置されており、ハートカム８１ｂ，８２ｂ，８３ｂやこの後で詳述するクロノグラフ関連レバーは、クロノグラフ時計１の厚さ方向Ｔにみて、主として、クロノグラフ下板５とクロノグラフ受６との間に、配置されている。なお、クロノグラフ受６の裏蓋側には、基準電位を与えるばね性金属薄板からなる端子板としての電池プラス端子６０が配置されている。
【００２９】
クロノグラフ下板５の文字板側には、フレキシブル回路基板６６や該基板６６を支える座６５ａを含む回路ブロック６５が配置されている。フレキシブル回路基板６６は、基板本体６６ａと該本体６６ａの文字板側に形成された導電性配線パターン６６ｂとを含み、該導電性配線パターン６６ｂの文字板側には通常運針用時計回路およびクロノグラフ用時計回路を構成する時計用ＩＣの如き各種回路部品６６ｃ（図８）が実装されている。導電性配線パターン６６ｂは、発停ボタン１６に対面する部位と帰零ボタン１７に対面する部位において、基板本体６６ａの文字板側表面から該本体６６ａの端縁までＬ字状に延びた発停用接点６７及び帰零用接点６８を形成している。
【００３０】
クロノグラフ輪列１５は、クロノグラフ運針用モータ１３のロータ１３ａから秒クロノグラフ中間車８４（この例では秒クロノグラフ第一及び第二中間車８４ａ，８４ｂからなる）を介して秒クロノグラフ歯車８１ｃで回転される秒クロノグラフ車８１、秒クロノグラフ第二中間車８４ｂら分クロノグラフ中間車８５（この例では分クロノグラフ第一及び第二中間車８５ａ，８５ｂからなる）を介して分クロノグラフ歯車８２ｃで回転される分クロノグラフ車８２、及び分クロノグラフ第一中間車８５ａから時クロノグラフ中間車８６（この例では、時クロノグラフ第一、第二及び第三中間車８６ａ，８６ｂ，８６ｃからなる）を介して時クロノグラフ歯車８３ｃで回転される時クロノグラフ車８３を含む。
【００３１】
機械的なクロノグラフ機構７Ｂは、図１１の外観図に加えて例えば図５からわかるように、スタート／ストップ（発停）ボタン１６及びリセット（帰零）ボタン１７に加えて、帰零指示レバー２０、発停レバー３０、復針伝えレバー４０、復針レバー５０及び停止レバー７０を有する。
【００３２】
電池プラス端子６０は、図１や図２に示したように、ムーブメント８の電気的な回路ブロック等に対して基準電位を与える導電体であって且つ機械的なばね性のあるもの、即ち、ばね性のある金属薄板からなり、発停スイッチレバー部１１０及び帰零スイッチレバー部２１０や発停スイッチばね部６３及び復針伝えレバー用スイッチばね部６４を含む。
【００３３】
図１や図２に加えて図６からわかるように、発停スイッチ構造体１００は、発停用弾性スイッチレバー部１１０に加えて、中心軸線ＣＳ（図６）のまわりで回動可能な発停用剛性支持レバー１５０を有する。
【００３４】
同様に、図１や図２に加えて図６からわかるように、帰零スイッチ構造体２００は、帰零用スイッチレバー部２１０に加えて、中心軸線ＣＲ（図６）のまわりで回動可能な帰零用剛性支持レバー２５０を有する。
【００３５】
図５や図１１からわかるように、発停ボタン１６は、Ａ１，Ａ２方向に進退可能であり、Ａ１方向に押込まれた際、図１及び図５に示したように、発停スイッチ構造体１００の発停用弾性スイッチレバー部１１０をＰ１方向に揺動させて、（後述する接点部を介して）電気的な発停信号Ｓ１を発生させると共に、該発停用弾性スイッチレバー部１１０を介して該発停用弾性スイッチレバー部１１０を背後で支持している発停用剛性支持レバー１５０を機械的なクロノグラフ機構７Ｂの発停レバー３０に押付けて、該発停レバー３０をＦ２方向に回動させる。
【００３６】
同様に、帰零ボタン１７は、Ｄ１，Ｄ２方向に進退可能であり、Ｄ１方向に押込まれた際、図１及び図５に示したように、帰零スイッチ構造体２００の帰零用弾性スイッチレバー部２１０をＦｒ１方向に揺動させて、（後述する接点部を介して）電気的な帰零信号Ｓ２を発生させると共に、該帰零用弾性スイッチレバー部２１０を介して該帰零用弾性スイッチレバー部２１０を背後で支持している帰零用剛性支持レバー２５０を機械的なクロノグラフ機構７Ｂの帰零指示レバー２０に押付けて、該帰零指示レバー２０をＦ１方向に回動させる。
【００３７】
帰零指示レバー２０は、主として図５からわかるように、回動中心軸線Ｃ４のまわりでＦ１，Ｆ２方向に回動可能にクロノグラフ下板５によって支持され、初期位置と作動位置との間で回動可能である。帰零指示レバー２０は、中心軸線Ｃ４の一端側にある入力側腕部２２と、中心軸線Ｃ４の他端側にある出力側腕部２３とを有する。帰零指示レバー２０は、入力側腕部２２の端部に、Ｕ字状に湾曲したばね部２４を有し、ばね部２４の先端部２５で帰零指示レバーばね受ピン５ｅに係合されている。帰零指示レバー２０は、更に、入力側腕部２２の外側部に指示受突出部２６を備える。帰零指示レバー２０は、また、出力側腕部２３の内側縁に停止レバー係止突起部２７を備え、先端部近傍の内側縁に係止縁部２８を備えると共に先端部に、係合縁部２９を備える。
【００３８】
従って、帰零指示レバー２０は、外力がかかっていない状態では、ばね部２４によってＦ２方向に回動偏倚力を受け、係止縁部２８が帰零指示レバー係止ピン５ｆで係止された係止位置を初期位置として採る。一方、帰零ボタン１７がＤ１方向に押込まれると、該帰零ボタン１７のＤ１方向押圧力が帰零スイッチ機構２００を介して帰零指示レバー２０の入力側腕部２２の突出部２６に加えられて、該帰零指示レバー２０が回動中心軸線Ｃ４のまわりでＦ１方向に回動され、（既にリセットがかかって復針伝えレバー４０が帰零作動制御位置としての作動位置（帰零動作位置）に達しているような状態でない限り）出力側腕部２３の先端の係合縁部２９で復針伝えレバー４０に係合される。
【００３９】
発停レバー３０は、主として図５からわかるように、中心軸線Ｃ４の近傍に位置し基端部となる一端部３１と、該中心軸線Ｃ４から一方向に延在した腕部３３とを有すると共に、該腕部３３の延在端部３４の一側に復針伝えレバー押圧用突出部３５を有する。発停レバー３０は、共通の回動中心軸線Ｃ４のまわりでＦ１，Ｆ２方向に回動可能にクロノグラフ下板５によって支持され、初期位置と作動位置との間でＦ２，Ｆ１方向に回動可能である。共通の回転中心軸線Ｃ４があるので、二つのレバー２０，３０の回動領域が実際上共用できるから、占有面積が最低限に抑えられ得る。発停レバー３０は、また、腕部３３の外縁部に突出部３６を備えると共に、腕部３３のうち中心軸線Ｃ４のところと突出部３６との間の部位で電池プラス端子６０に対面する主面（裏蓋側主面）３７に電池プラス端子６０の発停スイッチばね部６３に係合されるピン状突起部３８を備える。発停レバー３０は、更に、先端外縁部に、地板２の係止突起部２ｇに係止される係合縁部３９を備える。図１及び図２等からわかるように、スイッチばね部６３は、細長いばね本体部６３ａと該ばね本体部６３ａの先端部近傍に形成された先端係合部６３ｂとを有する。先端係合部６３ｂは、段部の形態の肩部６３ｅを備える。発停レバー部３０の突起部３８は、肩部６３ｅに当接する位置とばね本体部６３ａをＧ１方向に湾曲させた状態で肩部６３ｅを乗り越えた位置との間で変位可能である。
【００４０】
従って、発停レバー３０は、外力がかかっていない状態では、発停スイッチばね部６３の肩部６３ｄによってＦ１方向に回動偏倚力を受け，係合縁部３９が係止突起部２ｇに係止される初期位置を採る。一方、発停ボタン１６がＡ１方向に押込まれると、該発停ボタン１６のＡ１方向押圧力が発停スイッチ機構１００を介して発停レバー３０の突出部３６に加えられて、発停レバー３０が回動中心軸線Ｃ４のまわりでＦ２方向に回動され、（復針伝えレバー４０が発停制御位置としての初期位置（非帰零位置）に戻っていない場合には）腕部３３の延在端部３４の一側にある復針伝えレバー押圧用突出部３５で復針伝えレバー４０に係合される。発停レバー３０のＦ２方向回動に伴い発停レバー３０のピン状突起部３８が、発停スイッチばね部６３をＧ１方向に湾曲させる。ピン状突起部３８が肩部６３ｅを越えて基端側長側面に沿って変位するようになると、発停ボタン１６のＡ１方向押込みに対する抵抗が急激に落ち、操作者にクリック感を与える。発停ボタン１６のＡ１方向押圧力が解除されると、スイッチばね部６３の本体部６３ａのＧ２方向復帰力の作用下で、発停レバー３０の突起部３８がスイッチばね部６３の先端係合部６３ｂの基端側長側面に係合する位置から肩部６３ｅに係合する位置に戻され、発停レバー３０がＦ１方向に戻され、発停スイッチ機構１００を介して発停ボタン１６もＡ２方向に戻される。
【００４１】
復針伝えレバー４０は、図５からわかるように、中心軸線Ｃ５のまわりでＨ１，Ｈ２方向に回動可能にクロノグラフ下板５によって支持され、該中心軸線Ｃ５の一端側にある入力側腕部４２と、該中心軸線Ｃ５の他端側にある出力側腕部４３とを有する。入力側腕部４２は、先端の一側縁部に発停レバー係合部４４を備え、且つクロノグラフ下板５に対面する側の主面から突出した帰零指示レバー係合用ピン状突起部４５を備える。前述のように、発停レバー３０と帰零指示レバー２０とが復針伝えレバー４０を逆方向に回動させるべく該レバー４０に逆側から係合される。すなわち、復針伝えレバー４０は、発停制御位置たる初期位置（非帰零動作位置）と帰零作動制御位置たる作動位置（帰零動作位置）との間で、Ｈ１，Ｈ２方向に回動可能である。図５のように復針伝えレバー４０が作動位置（帰零動作位置）にある際に、発停レバー３０が初期位置から作動位置へとＦ２方向に回動されると、発停レバー３０の復針伝えレバー押圧用突出部３５が復針伝えレバー４０の入力側腕部４２の発停レバー係合部４４に当って復針伝えレバー４０を非帰零動作位置に向かってＨ２方向に回動させる。一方、復針伝えレバー４０がＨ２方向に回動した初期位置（非帰零動作位置）にある際に、帰零指示レバー２０が初期位置から作動位置へとＦ１方向に回動されると、帰零指示レバー２０の係合縁部２９が復針伝えレバー４０の入力側腕部４２の帰零指示レバー係合用ピン状突起部４５に当って復針伝えレバー４０を帰零動作位置に向かってＨ１方向に回動させる。
【００４２】
復針伝えレバー４０は、更に、出力側腕部４３のうち電池プラス端子６０に対面する側の主面（裏蓋側主面）４６に復針伝えレバー用スイッチばね部６４と係合するピン状突起部４７を備えると共に、先端部に復針レバー５０の復針レバー作動ピン５１が遊嵌係合されたＵ字状凹部の形態の係合溝部４８を具備した復針レバー作動部４９を備える。ピン状突起部４７が係合するスイッチばね部６４は、図１や図２からわかるように、細長いばね形態の本体部６４ａと、先端の係合部６４ｂとを備える。先端係合部６４ｂは、傾斜部６４ｃ，６４ｄを備えた凸部６４ｅと、先端側傾斜部６４ｄと協働して凹部６４ｆを形成する傾斜部６４ｇを与える突起部６４ｈとを備える。基端側傾斜部６４ｃは本体部６４ａの側縁に連続的につながっている。
【００４３】
従って、復針伝えレバー４０のピン状突起部４７は、凸部６４ｅの先端側傾斜部６４ｄ側で凹部６４ｆ内に位置する状態（復針伝えレバー４０の初期位置（非帰零動作位置）に対応する）と、凸部６４ｅの基端側傾斜部６４ｃ側に位置する状態（復針伝えレバー４０の作動位置（帰零動作位置）に対応する）との間で可動である。復針伝えレバー４０の作動位置（帰零動作位置）は、厳密には、復針レバー５０が後述する作動位置（帰零動作位置）を採るような復針伝えレバー４０の位置である。なお、復針伝えレバー４０のピン状突起部４７が凸部６４ｅの頂点に位置する場合、復針レバー５０による帰零動作が未だ行われていない（少なくとも完了しない）状態にある。
【００４４】
すなわち、復針伝えレバー４０が、発停レバー３０によってＨ２方向に回動されて、ピン状突起部４７がスイッチばね部６４の凸部６４ｅの頂点を越えるとスイッチばね部６４のばね力の作用下で先端側傾斜部６４ｄに沿って変位されるので、復針伝えレバー４０が更にＨ２方向に回動されて、最終的に、初期位置（非帰零動作位置）を採り、Ｕ字状係合溝部４８に遊嵌係合した復針レバー作動ピン５１を介して復針レバー５０を非帰零位置（開放位置）に変位させる。ピン状突起部４７がスイッチバネ６４の凹部６４ｆ内に位置し復針伝えレバー４０が初期位置（非帰零動作位置）にある場合、復針伝えレバー４０がＨ２方向に最大限回動され、復針伝えレバー４０の発停レバー係合部４４が最大限Ｈ２方向に回動した位置を採るので、この状態においてスタート／ストップボタン（発停ボタン）１６がＡ１方向に最大限押し込まれ発停レバー３０がＦ２方向に最大限回動されても、発停レバー３０の復針伝えレバー押圧用突出部３５は復針伝えレバー４０の発停レバー係合部４４に当たらず、発停レバー３０の復針伝えレバー押圧用突出部３５と復針伝えレバー４０の発停レバー係合部４４との間に、間隙が残る。一方、ピン状突起部４７がスイッチバネ６４の凸部６４ｅを越えて基端側傾斜部６４ｃの側に位置し復針伝えレバー４０が作動位置（帰零動作位置）にある場合、復針伝えレバー４０がＨ１方向に最大限回動され、復針伝えレバー４０の帰零指示レバー係合用ピン状突起部４５が最大限Ｈ１方向に回動した位置を採るので、この状態においてリセットボタン（帰零ボタン）１７がＤ１方向に最大限押し込まれ帰零指示レバー２０がＦ１方向に最大限回動されても、帰零指示レバー２０の係合縁部２９が復針伝えレバー４０の帰零指示レバー係合用ピン状突起部４５に当たらず、帰零指示レバー２０の係合縁部２９と復針伝えレバー４０の帰零指示レバー係合用ピン状突起部４５との間に、間隙が残る。一方、復針伝えレバー４０が、帰零指示レバー２０によってＨ１方向に回動されて、ピン状突起部４７がスイッチばね部６４の凸部６４ｅの頂点を越えるとスイッチばね部６４のばね力の作用下で基端側傾斜部６４ｃに沿って変位されるので、復針伝えレバー４０が更にＨ１方向に回動されて、最終的に、作動位置（帰零動作位置）を採り、Ｕ字状凹部の形態の係合溝部４８に係合した復針レバー作動ピン５１を介して復針レバー５０を帰零位置に変位させる。
【００４５】
停止レバー７０は、図５からわかるように、回動中心軸線Ｃ６のまわりでＭ１，Ｍ２方向に回動可能にクロノグラフ下板５によって支持され、初期位置（非停止位置）と作動位置（停止位置）との間で回動可能である。停止レバー７０は、回動中心軸線Ｃ６の一端側にある第一腕部７２と、該回動中心軸線Ｃ６の他端側にある第二腕部７３とを有し、第二腕部７３の端部には、Ｕ字状に湾曲したばね部７４が形成され、該ばね部７４の先端部７５で停止レバーばね受ピン５ｈに係合されている。停止レバー７０は、また、第一腕部７２の外側部に被係止部７６を備える。停止レバー７０は、更に、第二腕部７３の分岐腕部７７に時計１の厚さ方向Ｔに折曲げられ該厚さ方向Ｔに延在すると共に横向きに突出したクロノグラフ中間車規正縁部７８を備える。
【００４６】
停止レバー７０は、図５に示したように、第一腕部７２の被係止部７６が非作動位置にある帰零指示レバー２０の停止レバー係止突起部２７によって係止されている状態では、ばね部７４のばね力に抗してＭ２方向に回動された非停止位置を採る。停止レバー７０がこの非停止位置にある場合、停止レバー７０の分岐腕部７７のクロノグラフ中間車規正縁部７８は、秒クロノグラフ第二中間車８４ｂから離れた位置を採り、秒クロノグラフ第二中間車８４ｂの回転を許容する。一方、帰零指示レバー２０がＦ１方向に回動されると帰零指示レバー２０の停止レバー係止突起部２７による第一腕部７２の被係止部７６の係止が解除される。従って、停止レバー７０は、ばね部７４の力によってＭ１方向に回動され、停止レバー７０の分岐腕部７７のクロノグラフ中間車規正縁部７８が秒クロノグラフ第二中間車８４ｂに係合される作動位置（停止位置）を採り、秒クロノグラフ第二中間車８４ｂを規正し、秒クロノグラフ第二中間車８４ｂに噛合した秒クロノグラフ歯車８１ｃ（図９）の回転を禁止する。停止レバー７０が停止位置を採るタイミングは、後述のように、ハンマー５６，５７，５８によるハートカム８１ｂ，８２ｂ，８３ｂの機械的帰零が行われるタイミングよりも僅かに早い。
【００４７】
復針レバー５０は、全体として鳥が飛んでいるような形状で、頭部側腕部５０ａ，胴尾部側腕部５０ｂ，両羽根側腕部５０ｃ，５０ｄを有する。復針レバー５０の頭部側腕部５０ａには、細長い開口の形態の復針レバー案内部を構成する案内溝部５２が形成され、復針レバーの胴尾部腕部５０ｂには案内溝部５２と協働して細長い開口の形態の復針レバー案内部を構成する案内穴部ないし案内用長穴部５３が形成されている。この案内溝部５２及び案内穴部５３は、クロノグラフ下板５のうちクロノグラフ受６に対面する表面に突設された第一及び第二の復針レバーガイドピン５ｄ，５ｃに嵌合している。ここで、第一及び第二の復針レバーガイドピン５ｄ，５ｃの外周と案内溝部５２及び案内穴部５３の内面との間には僅かながら隙間がある。従って、復針レバー５０は、概ね、案内溝部５２及び案内穴部５３の延在方向に沿って、Ｊ１，Ｊ２方向に移動可能である。なお、案内溝部５２及び案内穴部５３の夫々の一端には、該溝部５２及び穴部５３の他の部分よりも若干大きい溝部分５４及び穴部分５５が形成されている。従って、第一及び第二の復針レバーガイドピン５ｄ，５ｃが、溝部分５４及び穴部分５５内に位置する場合には、復針レバー５０の向きも多少変動可能である。復針レバー５０の右羽根側腕部５０ｄには、復針レバー作動ピン５１が突設され、該復針レバー作動ピン５１は、復針伝えレバー４０の出力側腕部４３の復針レバー作動部４９のＵ字状溝部４８に嵌合され、復針伝えレバー４０のＨ１方向回動に応じて、作動力Ｋを受けて、Ｊ１方向に変位される。復針レバー５０は、また、胴尾側腕部５０ｂの先端部に秒ハンマーとしての秒ハートカム接触部５６を備えると共に、左羽根側腕部５０ｃの先端部に分ハンマーとしての分ハートカム接触部５７を備え、更に、右羽根側腕部５０ｄの先端部に時ハンマーとしての時ハートカム接触部５８を備える。
【００４８】
従って、クロノグラフ機構７Ｂにおいて、リセットピン１７のＤ１方向の押圧に応じて、復針伝えレバー４０がＨ１方向に回動されると、復針レバー５０は、復針レバー作動ピン５１で復針伝えレバー４０の出力側腕部４３の復針レバー作動部４９による力Ｋを受けて、案内溝５２及び案内穴５３でガイドピン５ｄ及び５ｃに案内されてＪ１方向に変位され、秒ハートカム接触部５６で秒ハートカム８１ｂに当接ないし圧接すると共に分ハートカム接触部５７で秒ハートカム８２ｂに当接ないし圧接し、時ハートカム接触部８３ｂで時ハートカム８３ｂに丁度当接ないし圧接する。ここで、ハートカム接触部５６，５７，５８が秒、分及び時ハートカム８１ｂ，８２ｂ，８３ｂに接触する領域に達すると、作動力Ｋは、その作用線が、実際上、中心軸線Ｃを通る向きに向く。当接状態ないし圧接状態が達成される際には、ガイドピン５ｄ及び５ｃが、丁度、案内溝５２及び案内穴５３の大きめの溝部分５４及び穴部分５５内に位置するので、復針レバー５０の接触部（ハンマー）５６，５７，５８が対応するハートカム８１ｂ，８２ｂ，８３ｂの最小径部に丁度当接ないし圧接する状態が実現される。このとき、復針伝えレバー４０の出力側腕部４３の復針レバー作動部４９が復針レバー作動ピン５１を介して復針レバー５０を押す力Ｋは、丁度、秒ハートカム８１ｂが秒ハートカム接触部（秒ハンマー）５６で復針レバー５０を押す力Ｋ１と、分ハートカム８２ｂが分ハートカム接触部（分ハンマー）５７で復針レバー５０を押す力Ｋ２と、時ハートカム８３ｂが時ハートカム接触部（時ハンマー）５８で復針レバー５０を押す力Ｋ３との合力と丁度釣り合い、且つ四つの力Ｋ，Ｋ１，Ｋ２，Ｋ３が復針レバー５０に与えるトルクも、実際上釣合い、溝部分５４及び穴部分５５の周壁がガイドピン５ｄ及び５ｃを支える力が実際上働かなくても、復針レバー５０はが静止状態に保たれ得る。この状態では、復針レバー５０は、秒ハートカム接触部５６、分ハートカム接触部５７及び時ハートカム接触部８３ｂで秒ハートカム８１ｂ、分ハートカム８２ｂ及び時ハートカム８３ｂに圧接されて、秒クロノグラフ車８１、分クロノグラフ車８２及び時クロノグラフ車８３を帰零させる。これにより、セルフアラインメントが達成される。
【００４９】
次に、クロノグラフ時計１のうち、スタート／ストップ（発停）ボタン１６によって動作せしめられるスタート／ストップ（発停）スイッチ構造体１００及びリセット（帰零）ボタン１７によって動作せしめられるリセットスイッチ（帰零）構造体２００について、より詳しく説明する。以下においては、説明の便宜上、Ｘ方向が３時の方向でＹ方向が１２時の方向になってＸＹ平面が時計１の主面に平行な面（例えば文字板等に平行な面）になり、Ｚ方向が時計１の厚さ方向に沿って裏蓋側から文字板側に向いたような三次元直交座標系Ｘ，Ｙ，Ｚを時計１の本体８に固定した形態で採る。
【００５０】
発停スイッチ構造体１００は、端子板としての電池プラス端子６０の板状本体部６０ａの外周縁部のうち概ね１時〜２時の領域に対面する部分６１に形成された発停用弾性スイッチレバー部１１０と、発停用剛性支持レバー１５０とからなる。
【００５１】
同様に、帰零スイッチ構造体２００は、端子板としての電池プラス端子６０の板状本体部６０ａの外周縁部のうち概ね４時〜５時の領域に対面する部分６２に形成された帰零用弾性スイッチレバー部２１０と、帰零用剛性支持レバー２５０とからなる。
【００５２】
発停用弾性スイッチレバー部１１０は、発停用腕部１２０と、発停用弾性接点部１３０とを有する。
【００５３】
発停用腕部１２０は、その基端部１２１の一側１２２において板状本体部６０ａの外周縁部のうち概ね１時の部分６１ａにつながると共に基端部１２１の該一側１２２において板状本体部６０ａの該部分６１ａに対してＮｓ方向に折曲げられ該基端部１２１から該本体部６０ａの延在面（ＸＹ平面と平行な面）に交差する面（Ｚ方向に延びた面）に沿って且つ該板状本体部６０ａの外周縁部に沿う方向Ｌｓに延び先端側に押圧力受部１２５を備える。発停用腕部１２０の押圧力受部１２５には、発停ボタン１６がＡ１方向に押込まれた際に、該発停ボタン１６の先端部１６ａが当接して該先端部１６ａによってＡ１方向押込力を受ける。
【００５４】
発停用弾性接点部１３０は、発停用腕部１２０の押圧力受部１２５から更に延在されてなり、Ｕ字状に湾曲した弾力性湾曲アーム部分１３１と、該アーム部分１３１の先端部１３２に形成された発停用接点本体１３５とを備える。発停用接点本体１３５は、時計本体８の厚さ方向Ｔ（即ちＺ方向）にみて、フレキシブル基板６６の端縁に対面する高さ位置において発停用接点６７に対面している（例えば、図１参照）。
【００５５】
同様に、帰零用弾性スイッチレバー部２１０は、帰零用腕部２２０と、帰零用弾性接点部２３０とを有する。
【００５６】
帰零用腕部２２０は、その基端部２２１の一側２２２において板状本体部６０ａの外周縁部のうち概ね５時の部分６２ａにつながると共に基端部２２１の該一側２２２において板状本体部６０ａの該部分６２ａに対してＮｒ方向に折曲げられ該基端部２２１から該本体部６０ａの延在面（ＸＹ平面と平行な面）に交差する面（Ｚ方向に延びた面）に沿って且つ該板状本体部６０ａの外周縁部に沿う方向Ｌｒに延び先端側に押圧力受部２２５を備える。帰零用腕部２２０の押圧力受部２２５には、帰零ボタン１７がＤ１方向に押込まれた際に、該帰零ボタン１７の先端部１７ａが当接して該先端部１７ａによってＤ１方向押込力を受ける。
【００５７】
帰零用弾性接点部２３０は、帰零用腕部２２０の押圧力受部２２５から更に延在されてなり、Ｕ字状に湾曲した弾力性湾曲アーム部分２３１と、該アーム部分２３１の先端部２３２に形成された帰零用接点本体２３５とを備える。帰零用接点本体２３５は、時計本体８の厚さ方向Ｔ（即ちＺ方向）にみて、フレキシブル基板６６の端縁に対面する高さ位置において帰零用接点６８に対面している（図７や図１参照）。
【００５８】
発停用剛性支持レバー１５０は、図１に加えて図２、図６及び図８からわかるように、ＸＹ平面に平行に延在した剛性基板部１６０と、発停用弾性スイッチレバー１１０の発停用腕部１２０の押圧力受部１２５の背後において該押圧力受部１２５を支える剛性支持壁部１７０とを有する。図６及び図８からわかるように、剛性基板部１６０は、概ね「レ」の字状の平面形状を有し、「レ」の一方の脚部をなす基端側脚部１６１の基端部１６３の孔部１６２においてピンの如き回動中心軸１８０で回動自在に支持されている。剛性基板部１６０の「レ」の他方の脚部をなす先端側脚部１６４は、概ね径方向外向きに延び、先端部１６５において時計本体８の厚さ方向Ｚに折曲がって剛性支持壁部１７０に連続的につながっている。
【００５９】
発停用剛性支持レバー１５０の回動中心軸１８０の回動中心ＣＳは、図３及び図６並びに図２からわかるように、Ｚ方向に見て、発停用弾性スイッチレバー部１１０の発停用腕部１２０と重なり且つ発停用腕部１２０の１／３の位置である。但し、厳密に１／３でなくて多少先端側又は基端側にずれていてもよい。
【００６０】
帰零用剛性支持レバー２５０は、図１に加えて図２、図６、図７及び図８からわかるように、ＸＹ平面に平行に延在した剛性基板部２６０と、帰零用弾性スイッチレバー２１０の帰零用腕部２２０の押圧力受部２２５の背後において該押圧力受部２２５を支える剛性支持壁部２７０とを有する。図６及び図８からわかるように、剛性基板部２６０も、概ね「レ」の字状の平面形状を有し、「レ」の一方の脚部をなす基端側脚部２６１の基端部２６３の孔部２６２においてピンの如き回動中心軸２８０で回動自在に支持されている。剛性基板部２６０の「レ」の他方の脚部をなす先端側脚部２６４は、概ね径方向外向きに延び、先端部２６５において時計本体８の厚さ方向Ｚに折曲がって剛性支持壁部２７０に連続的につながっている。
【００６１】
同様に、帰零用剛性支持レバー２５０の回動中心軸１８０の回動中心ＣＲも、図３及び図６並びに図２からわかるように、Ｚ方向に見て、帰零用弾性スイッチレバー部２１０の帰零用腕部２２０と重なり且つ帰零用腕部２２０の１／３の位置である。但し、厳密に１／３でなくて多少先端側又は基端側にずれていてもよい。
【００６２】
なお、図３及び図８において１０６は支持レバー押え、図３において９は日車、９ａは日車押えである。
【００６３】
次に、以上のごとく構成された発停スイッチ構造体１００及び帰零スイッチ構造体２００の動作について、斜視図等で示した図１や図４及び図７に加えて平面図（又は底面図）で示した図２〜図３及び図５〜図６を参照しつつ、説明する。
【００６４】
クロノグラフ時計１の使用者によって、発停ボタン１６がＡ１方向に押込まれると、発停ボタン１６は先端部１６ａにおいて発停スイッチ構造体１００の発停用弾性スイッチレバー部１１０の発停用腕部１２０の押圧力受部１２５に当接して該押圧力受部１２５をＡ１方向に押込む。従って、基端部１２１に対してＬｓ方向に伸びた発停用腕部１２０の先端側部分が基端部１２１に対してＰ１方向（図２等）に揺動される。その結果、発停用腕部１２０の先端側に位置する発停用弾性接点部１３０のＵ字状弾力性湾曲アーム部分１３１の先端部１３２にある発停用接点本体１３５も概ねＰ１方向に揺動されて、フレキシブル基板６６の発停用接点６７に押付けられ、所定の電気的な発停信号Ｓ１が発生せしめられる。なお、接点本体１３５は、Ｕ字状弾力性湾曲アーム部分１３１の先端部１３２に位置するので、フレキシブル基板６６の発停用接点６７に比較的安定的に適切な強さで押付けられ、該押付の力が過度に小さくなったり過度に大きくなる虞れが少ない。
【００６５】
なお、このクロノグラフ時計１では、発停用腕部１２０が基端部１２１の一側部１２２において折り曲げられて板状本体部６０ａの外周縁部６１ａに繋がっており、押圧力受部１２５が該一側部１２２よりも＋Ｚ方向にずれ時計１の裏蓋により近接するところに位置しているので、仮に、発停用剛性支持レバー１５０がないと仮定すると、発停ボタン１６による押圧力受部１２５のＡ１方向押込みに伴って発停用腕部１２０が多少なりともＵ１方向（ＸＹ面に平行な面内で延在する回転軸のまわりにおける回転方向）に湾曲する。しかも、発停用弾性接点部１３０の発停用接点本体部１３５は、発停用腕部１２０の押圧力受部１２５とは異なるＺ方向位置（時計１ないし時計本体８の厚さ方向Ｔの異なる位置）に位置するので、発停用腕部１２０にＵ１方向の撓みが生じると、押圧力受部１２５のＡ１方向の押込み量（長）と発停用接点本体部１３５が回路ブロック６５の発停用接点６７に向かって押込まれる押込み量（長）とにズレが生じる（Ｌｓ方向の腕の長さの比に相当する変位からのズレが大きくなる）。従って、発停用接点本体部１３５と発停用接点６７との適切な電気的接触が行われ難くなって、所定の発停信号Ｓ１が的確には発生しない虞れがある。
【００６６】
ところが、この発停スイッチ構造体１００では、発停用弾性スイッチレバー部１１０の弾性腕部１２０の背後（径方向内側）に、発停用剛性支持レバー１５０の剛性支持壁部１７０が位置するので、弾性腕部１２０のＵ１方向の湾曲が最低限に抑えられ得るから、Ｚ方向位置の相違の多少にかかわらず、発停ボタン１６のＡ１方向押込みに伴う押圧力受部１２５に対するＡ１方向押込み量に応じて、発停用弾性接点部１３０の接点本体１３５が対応する発停用接点６７に向かって変位されて所定の押付け力で押付けられ得る。
【００６７】
なお、発停用剛性支持レバー１５０は、概ね、腕部１２０の長さの１／３のところに位置する回動中心ＣＳ（図３、図２及び図８等）を中心に回動自在に地板２等に支持されているから、弾性腕部１２０の湾曲と概ね一致するように発停用剛性支持レバー１５０の支持壁部１７０が中心軸線ＣＳのまわりで回動され得る。その結果、腕部１２０の湾曲状態にかかわらず、実際上、常に、腕部１２０が発停用剛性支持レバー１５０の支持壁部１７０で支持され得る。
【００６８】
同様に、帰零ボタン１７がＤ１方向に押込まれると、帰零ボタン１７は先端部１７ａにおいて帰零スイッチ構造体２００の帰零用弾性スイッチレバー部２１０の帰零用腕部２２０の押圧力受部２２５に当接して該押圧力受部２２５をＤ１方向に押込む。従って、基端部２２１に対してＬｒ方向に伸びた帰零用腕部２２０の先端側部分が基端部２２１に対してＦｒ１方向に揺動される。その結果、帰零用腕部２２０の先端側に位置する帰零用弾性接点部２３０のＵ字状弾力性湾曲アーム部分２３１の先端部２３２にある帰零用接点本体２３５も概ねＦｒ１方向に揺動されて、フレキシブル基板６６の帰零用接点６８に押付けられ、所定の電気的な帰零信号Ｓ２が発生せしめられる。なお、接点本体２３５は、Ｕ字状弾力性湾曲アーム部分２３１の先端部２３２に位置するので、フレキシブル基板６６の帰零用接点６８に適切な強さで押付けられ、該押付の力が過度に小さくなったり過度に大きくなる虞れが少ない。
【００６９】
なお、このクロノグラフ時計１では、帰零用腕部２２０が基端部２２１の一側部２２２において折り曲げられて板状本体部６０ａの外周縁部６１ｂに繋がっていて、押圧力受部２２５が該一側部２２２よりも＋Ｚ方向にずれ時計１の裏蓋により近接するところに位置しているので、仮に、帰零用剛性支持レバー２５０がないと仮定すると、帰零ボタン１７による押圧力受部２２５のＤ１方向押込みに伴って帰零用腕部２２０が多少なりともＦｒ２方向（ＸＹ面に平行な面内で延在する回転軸のまわりにおける回転方向）に湾曲する。しかも、帰零用弾性接点部２３０の帰零用接点本体部２３５は、帰零用腕部２２０の押圧力受部２２５とは異なるＺ方向位置（時計１ないし時計本体８の厚さ方向Ｔの異なる位置）に位置するので、帰零用腕部２２０にＦｒ２方向の撓みが生じると、押圧力受部２２５のＤ１方向の押込み量（長）と帰零用接点本体部２３５が回路ブロック６５の帰零用接点６８に向かって押込まれる押込み量（長）とにズレが生じる（Ｌｒ方向の腕の長さの比に相当する変位からのズレが大きくなる）。従って、帰零用接点本体部２３５と帰零用接点６８との適切な電気的接触が行われ難くなって、所定の帰零信号Ｓ２が的確には発生しない虞れがある。
【００７０】
ところが、この帰零スイッチ構造体２００では、帰零用弾性スイッチレバー部２１０の弾性腕部２２０の背後（径方向内側）に、帰零用剛性支持レバー２５０の剛性支持壁部２７０が位置するので、弾性腕部２２０のＦｒ２方向の湾曲が最低限に抑えられ得るから、Ｚ方向位置の相違の多少にかかわらず、帰零ボタン１７のＤ１方向押込みに伴う押圧力受部２２５に対するＤ１方向押込み量に応じて、帰零用弾性接点部２３０の接点本体２３５が対応する帰零用接点６８に向かって変位されて所定の押付け力で押付けられ得る。
【００７１】
なお、帰零用剛性支持レバー２５０は、概ね、腕部２２０の長さの１／３のところに位置する回動中心ＣＲ（図３、図２及び図８等）を中心に回動自在に地板２等に支持されているから、弾性腕部２２０の湾曲と概ね一致するように帰零用剛性支持レバー２５０の支持壁部２７０が中心軸線ＣＲのまわりで回動され得る。その結果、腕部２２０の湾曲状態にかかわらず、実際上、常に、腕部２２０が帰零用剛性支持レバー２５０の支持壁部２７０で支持され得る。
【００７２】
次に、以上の如く構成されたクロノグラフ時計１の操作及び動作について、簡単に説明する。
【００７３】
クロノグラフ時計１の本体（ムーブメント）８のクロノグラフ機構７Ｂの初期状態では、図５に示したように、帰零指示レバー２０が、ばね２４の作用下でＦ２方向に回動偏倚され係止縁部２８で係止ピン５ｆに係止された初期位置を採る。この初期位置では、帰零指示レバー２０の停止レバー係止突起部２７が停止レバー７０の被係止部７６を押して停止レバー７０をばね７４のばね力に抗してＭ２方向に回動した位置に設定する。また、クロノグラフ機構７の初期状態では、発停レバー３０は、ピン状突起部３８が発停スイッチばね部６３の肩部６３ｅでＦ１方向に偏倚されて端部３４の外縁の被係止部３９で地板２の係止突起部２ｇに係止された初期位置を採る。更に、クロノグラフ機構７Ｂの初期状態では、復針伝えレバー４０は、Ｈ１方向に最大限回動した作動位置を採る。この作動位置では、復針伝えレバー用スイッチばね部６４の凸部６４ｅの基端側傾斜部にピン状突起部４７が係合して、復針レバー作動部４９が復針レバー５０を最大限Ｊ１方向に変位した帰零位置に設定している。すなわち、復針レバー５０は、帰零位置にあって、そのハンマー５６、５７，５８が対応するハートカム８１ｂ，８２ｂ，８３ｂに圧接されて該ハートカム８１ｂ，８２ｂ，８３ｂを帰零位置に設定している。
【００７４】
この初期状態において、発停（スタート／ストップ）ボタン１６がＡ１方向に押し下げられると、該発停ボタン１６の先端部１６ａによって発停スイッチ構造体１００の発停用弾性スイッチレバー部１１０の腕部１２０の押圧力受部１２５がＡ１方向に押込まれ、発停用弾性スイッチレバー部１１０の腕部１２０が、背後にある発停用剛性支持レバー１５０の支持壁部１７０を介して発停レバー３０の突出部３６を押すと共に、先端の発停用弾性接点部１３０の接点本体部１３５で回路ブロック６５の発停用接点６７に適度の押付力で押付けられて接点１３５，６７間が電気的に接触して当該接点がＯＮになり、クロノグラフ計測開始信号Ｓ１が出されて、クロノグラフ運針用モータ１３の駆動が開始され、カウンタ（図示せず）がある場合には該カウンタによる計測が開始される。
【００７５】
一方、発停ボタン１６のＡ１方向押下げ力を突出部３６で受けた発停レバー３０がＦ２方向に回動され、このＦ２方向回動に伴い発停レバー３０のピン状突起部３８がスイッチばね部６３の肩部６３ｅから外れて基端側長側面に沿って変位される際に、操作者には、発停ボタン１６のＡ１方向押下げ力に対するクリック感が得られる。発停レバー３０のＦ２方向回動に伴い発停レバー３０が作動位置に達する。この作動位置は、（ハートカムの係止が解除されるように）発停ボタン１６が所定範囲を越えてＡ１方向に押込まれた場合の位置であって例えば最大押込み位置又はその近傍の位置であり得る。なお、発停レバー３０のＦ２方向回動に伴い、初期位置にあった復針伝えレバー４０は、発停レバー係合部４４で発停レバー３０の突出部３５によるＦ２方向の押圧を受けて、Ｈ２方向に回動され、復針伝えレバー４０のピン状突起部４７がスイッチばね部６４の凸部６４ｅの頂点を越えて基端側傾斜面から先端側傾斜面に移動する。（ピン状突起部４７が頂点を越えた際、操作者には、第二のクリック感が与えられる。）その後は、復針伝えレバー４０はばね部６４によってＨ２方向回動力を受ける。その結果、復針伝えレバー４０の発停レバー係合部４４が発停レバー３０の突出部３５から離れても、ピン状突起部４７は更にＨ２方向に回動され、ピン状突起部４７が凹部６４ｆの底に達した際に、復針伝えレバー４０のＨ２方向回動が終了して、復針伝えレバー４０が初期位置を採る。また、復針伝えレバー４０が作動位置から初期位置にＨ２方向に回動されるのに伴い、復針伝えレバー４０の復針レバー作動部４９に作動ピン５１で係合した復針レバー５０も、作動位置（帰零位置）から初期位置（開放位置）に戻り、ハンマー５６，５７，４８がハートカム８１ｂ，８２ｂ，８３ｂの規正を完全に解除する。従って、クロノグラフ計測に伴うクロノグラフ指針８１ａ，８２ａ，８３ａの運針が開始される。
【００７６】
なお、この状態では、復針伝えレバー４０の発停レバー係合部４４と発停レバー３０の突出部３５との間に間隙があるので、例えば、発停ボタン１６にＡ１方向の衝撃が加わっても、該衝撃が他のレバー等に伝わる虞れがなく、クロノグラフ機構７Ｂが損傷を受ける虞れが少ない。
【００７７】
次に、発停ボタン１６のＡ１方向押下げが解除されると、クロノグラフ計測状態に入る。このクロノグラフ計測状態では、発停スイッチ構造体１００の発停用弾性スイッチレバー部１１０の復元力によって発停用弾性スイッチレバー部１１０がＰ２方向に戻り、発停ボタン１６もＡ２方向の突出位置に戻される。スイッチばね部６３のＧ２方向復元力の故に、発停レバー３０も押戻されて、Ｆ１方向に回動され、被係止部３９で係止突起部２ｇに係止される初期位置に戻る。
【００７８】
クロノグラフ計測中に発停ボタン１６が押されると、発停ボタン１６のＡ１方向押下げに伴って発停スイッチ構造体１００の発停用弾性スイッチレバー部１１０がＰ１方向に揺動されてスイッチ接点がＯＮになって発停信号として停止信号Ｓ１が出され、クロノグラフ運針用モータ１３が停止される。一方、発停ボタン１６のＡ１方向押下げに伴なう発停スイッチ構造体１００の発停用剛性支持レバー１５０の回動に従った発停レバー３０のＦ２方向回動に応じて、スイッチばね部６３をＧ１方向に揺動させて肩部６３ｅを越える際にクリック感が付与され、スイッチばね部６３がＧ２方向に戻る際に、発停レバー３０がＦ１方向に戻される。
【００７９】
クロノグラフ計測の停止中に発停ボタン１６が再度押されると、該発停ボタン１６のＡ１方向押下げに伴って発停スイッチ構造体１００の発停用弾性スイッチレバー部１１０がＢ１方向に揺動されてスイッチ接点がＯＮになって発停信号として再開信号Ｓ１が出され、クロノグラフ運針用モータ１３の駆動が（再度）開始される。一方、発停ボタン１６のＡ１方向押下げに伴なう発停スイッチ構造体１００の発停用剛性支持レバー１５０の回動に従った発停レバー３０のＦ２方向回動に応じて、スイッチばね部６３をＧ１方向に揺動させて肩部６３ｅを越える際にクリック感が付与され、スイッチばね部６３がＧ２方向に戻る際に、発停レバー３０がＦ１方向に戻される。
【００８０】
以上のようなクロノグラフ機構７の停止や再開は、発停ボタン１６の押下げ及びその解除に応じて繰返される。
【００８１】
クロノグラフ計測停止状態又はクロノグラフ計測状態において、リセット（帰零）ボタン１７がＤ１方向に押されてクロノグラフ帰零指示が出される場合、リセットボタン１７のＤ１方向押圧に伴い、該帰零ボタン１６の先端部１７ａによって帰零スイッチ構造体２００の帰零用弾性スイッチレバー部２１０の腕部２２０の押圧力受部２２５がＤ１方向に押込まれ、帰零用弾性スイッチレバー部２１０の腕部２２０が、背後にある帰零用剛性支持レバー２５０の支持壁部２７０を介して帰零指示レバー２０の突出部２６を押すと共に、先端の帰零用弾性接点部２３０の接点本体部２３５で回路ブロック６５の帰零用接点６８に適度の押付力で押付けられて接点２３５，６８間が電気的に接触して当該接点がＯＮになり、クロノグラフ帰零指示信号Ｓ２が出される（タイマーカウンタ等でもクロノグラフ計測をしていた場合には該タイマーカウンタがリセットされる）。
【００８２】
一方、帰零ボタン１７のＤ１方向押圧に伴って帰零用剛性支持レバー２５０の支持壁部２７０を介して指示受突出部２６で押圧力を受ける帰零指示レバー２０がＦ１方向に回動される。帰零指示レバー２０のＦ１方向回動が始まると、該帰零指示レバー２０の係止突起部２７が停止レバー７０の被係止部７６から速やかに離れて停止レバー７０の係止が解除されるので、停止レバー７０がばね７４の作用下でＭ１方向に回動されて作動位置Ｐ７ａに達し、規正縁部７８が秒クロノグラフ第二中間車８４ｂに押付けられて該秒クロノグラフ第二中間車８４ｂを規正し、秒クロノグラフ車８１の回転を停止させる。帰零指示レバー２０が更に、Ｆ１方向に回動されると、帰零指示レバー２０の係合縁部２９が復針伝えレバー４０のピン状突起部４５に係合して、初期位置にあった復針伝えレバー４０を該ピン状突起部４５を介してＨ１方向に回動させる。復針伝えレバー４０のＨ１方向回動に伴いピン状突起部４７がスイッチばね部６４の凹部６４ｆから凸部６４ｅの頂点を越えて基端側傾斜部に移る。ピン状突起部４７が凸部６４ｅを越えると、復針伝えレバー４０のピン状突起部４５が帰零指示レバー２０の係合縁部２９から離れても、復針伝えレバー４０が、スイッチばね部６４のばね力によって、Ｈ１方向に回動される。従って、帰零ボタン１７の押圧に対する抵抗が急激に落ち、操作者がクリック感を感じ得る。復針伝えレバー４０のＨ１方向回動に伴い、該復針伝えレバー４０の復針レバー作動部４９が作動ピン５１を介して復針レバー５０をＫ方向に押す。復針レバー５０のＪ１方向移動は、ガイドピン５ｄ，５ｃが係合した溝部５２及び穴部５３で案内され、特に、拡径部５４，５５で向きや位置の調整が行われて（セルフアラインメントが行われて）、ハンマー５６，５７，５８によるハートカム８１ｂ，８２ｂ，８３ｂの強制的帰零が行われる。その結果、復針伝えレバー４０は作動位置に達し、復針レバー５０も作動位置に達する。
【００８３】
この状態では、帰零ボタン１７を最大限Ｄ１方向に押込み、帰零指示レバー２０を最大限Ｆ１方向に回動させても、帰零指示レバー２０の係合縁部２９と復針伝えレバー４０のピン状突起部４５との間には間隙が残るので、帰零ボタン１７にＤ１方向の不測の衝撃が加わっても、該衝撃が他の輪列その他に直接伝わる虞れが少ない。
【００８４】
次に、リセットボタン１７の押圧を解除すると、帰零スイッチ構造体２００の帰零用弾性スイッチレバー部２１０の復元力によって帰零用弾性スイッチレバー部２１０がＦｒ３方向に戻り、帰零ボタン１６もＤ２方向の突出位置に戻される。帰零用弾性スイッチレバー部２１０がＦｒ３方向に戻ると共に、ばね２４の作用下で帰零指示レバー２０は係止縁部２８が係止ピン５ｆに係止される初期位置に戻る。その結果、帰零指示レバー２０の係止突起部２７が再び停止レバー７０の被係止部７６に当って停止レバー７０を初期位置に戻し、秒クロノグラフ第二中間車８４ｂの規正を解除する。但し、ハートカム８１ｂ，８２ｂ，８３ｂはハンマー５６，５７，５８で矯正帰零されたままの状態であり、クロノグラフ運針用モータ１３は停止されたままの状態である。
【００８５】
以上においては、剛性支持レバー１５０，２５０に嵌着され該剛性支持レバー１５０，２５０と一体的なピン１８０，２８０を地板２に回動可能に嵌合させる例について説明したけれども、剛性支持レバー１５０，２５０が、地板２の如き時計本体８の静置支持基板に対して中心軸線ＣＳ，ＣＲのまわりで回動可能に支持される限り、例えば、図１２に示したように、地板２に一体的な突起部１８０Ｍ，２８０Ｍを突設すると共に該突起部１８０Ｍ，２８０Ｍを、支持レバー１５０，２５０の貫通孔１６２，２６２に回動自在に嵌合させてもよい。
【００８６】
また、以上においては、剛性支持レバー１５０，２５０が中心軸線ＣＳ，ＣＲのまわりで単に回動可能であるかの如く説明したけれども、剛性支持レバー１５０，２５０は、一方向に偏倚した位置を採るように、バネ負荷されてもよい。その場合、ばねは、渦巻きばねでも他のばねでもよい。また、剛性支持レバー１５０，２５０は、典型的には、両方向の回動範囲が規定され、一方の端の回動位置の他方の端の回動位置との間で回動可能である。但し、所望ならば、回動可能範囲が規制されていなくてもよい。
【００８７】
更に、以上においては、クロノグラフ機構７のうち機械式のクロノグラフ機構７Ｂが特定構造を備える一例について説明したけれども、クロノグラフ機構７の電気的（電子的）クロノグラフ機構７Ａを構成するスイッチ構造体１００，２００が適用される機械的クロノグラフ機構７Ｂとしては、図示した構造のものに限られず、他の構造のものであってもよい。
【符号の説明】
【００８８】
１  クロノグラフ時計
２  地板
２ｇ  係止突起部
３  輪列受
４  文字板
５  クロノグラフ下板
５ｃ，５ｄ  復針レバーガイドピン（セルフアラインメント案内ピン）
５ｅ  帰零指示レバーばね受ピン
５ｆ  帰零指示レバー係止ピン
５ｈ  停止レバーばね受ピン
６  クロノグラフ受
７  クロノグラフ機構
７Ａ  電気的クロノグラフ駆動機構（電気駆動式クロノグラフ機構）
７Ｂ  機械的クロノグラフ帰零機構（機械帰零式クロノグラフ機構）
８  クロノグラフ時計本体（ムーブメント）
９ａ日車押え
１１  電池
１２  通常運針用モータ
１２ａ  ロータ
１３  クロノグラフ運針用モータ
１３ａ  ロータ
１４  通常運針用輪列
１５  クロノグラフ輪列
１６  スタート／ストップ（発停）ボタン
１７  リセット（帰零）ボタン
１８  巻真
１９  りゅうず
２０  帰零指示レバー
２１  孔部
２２  入力側腕部
２３  出力側腕部
２４  ばね部
２５  先端部
２６  指示受突出部
２７  停止レバー係止突起部
２８  係止縁部
２９  係合縁部
３０  発停レバー
３１  一端部（基端部）
３２  孔部
３３  腕部
３４  延在端部
３５  復針伝えレバー押圧用突出部
３６  突出部
３７  主面（裏蓋側主面）
３８  ピン状突起部
３９  被係止部
４０  復針伝えレバー
４１  孔部
４２  入力側腕部
４３  出力側腕部
４４  発停レバー係合部
４５  帰零指示レバー係合用ピン状突起部
４６  主面（裏蓋側主面）
４７  ピン状突起部
４８  （Ｕ字状）係合溝部
４９  復針レバー作動部
５０  復針レバー
５０ａ  頭部側腕部
５０ｂ  胴尾部側腕部
５０ｃ  左羽根側腕部
５０ｄ  右羽根側腕部
５１  復針レバー作動ピン
５２  案内溝部
５３  案内穴部（案内用長穴部）
５４  （大径の）溝部分
５５  （大径の）穴部分
５６  秒ハンマー（秒ハートカム接触部）
５７  分ハンマー（分ハートカム接触部）
５８  時ハンマー（時ハートカム接触部）
６０  電池プラス端子
６０ａ  電池プラス端子の板状本体部
６１  １〜２時の領域に対面する（外周縁）部分
６１ａ  １時の（外周縁）部分
６２  ４〜５時の領域に対面する（外周縁）部分
６２ａ  ５時の（外周縁）部分
６３  発停スイッチばね部
６３ａ  ばね本体部
６３ｂ  先端係合部
６３ｅ  肩部
６４  復針伝えレバー用スイッチばね部
６４ａ  本体部
６４ｂ  先端係合部
６４ｃ  基端側傾斜部
６４ｄ  先端側傾斜部
６４ｅ  凸部
６４ｆ  凹部
６４ｇ  傾斜部
６４ｈ  突起部
６５  回路ブロック
６５ａ  座
６６  フレキシブル回路基板
６６ａ  基板本体
６６ｂ  導電性配線パターン
６６ｃ  回路部品
６７  発停用接点
６８  帰零用接点
７０  停止レバー
７１  孔部
７２  第一腕部
７３  第二腕部
７４  ばね部
７５  先端部
７６  被係止部
７７  分岐腕部
７８  クロノグラフ中間車規正縁部
８１  秒クロノグラフ車
８１ａ  クロノグラフ秒針
８１ｂ  秒ハートカム
８１ｃ  秒クロノグラフ歯車
８１ｄ  秒クロノグラフ真
８２  分クロノグラフ車
８２ａ  クロノグラフ分針
８２ｂ  分ハートカム
８２ｃ  分クロノグラフ歯車
８２ｄ  分クロノグラフ真
８３  時クロノグラフ車
８３ａ  クロノグラフ時針
８３ｂ  時ハートカム
８３ｃ  時クロノグラフ歯車
８３ｄ  時クロノグラフ真
８４  秒クロノグラフ中間車
８４ａ  秒クロノグラフ第一中間車
８４ｂ  秒クロノグラフ第二中間車
８５  分クロノグラフ中間車
８５ａ  分クロノグラフ第一中間車
８５ｂ  分クロノグラフ第二中間車
８６  時クロノグラフ中間車
８６ａ  時クロノグラフ第一中間車
８６ｂ  時クロノグラフ第二中間車
８６ｃ  時クロノグラフ第三中間車
９１  五番車
９２  秒車
９３  三番車
９４  分車
９５  日の裏車
９６  時車
９７  秒針
９８  分針
９９  時針
１００  スタート／ストップ（発停）スイッチ構造体
１１０  発停用弾性スイッチレバー部
１２０  発停用腕部
１２１  基端部
１２２  一側
１２５  押圧力受部
１３０  発停用弾性接点部
１３１  弾力性湾曲アーム部分
１３２  先端部
１３５  発停用接点本体
１５０  発停用剛性支持レバー
１６０，２６０  剛性基板部
１６１，２６１  基端側脚部
１６２，２６２  孔部
１６３，２６３  基端部
１６４，２６４  先端側脚部
１６５，２６５  先端部
１７０，２７０  剛性支持壁部
１８０，２８０  ピン
１８０Ｍ，２８０Ｍ  突起部
２００  リセット（帰零）スイッチ構造体
２１０  帰零用弾性スイッチレバー部
２２０  帰零用腕部
２２１  基端部
２２２  一側
２２５  押圧力受部
２３０  帰零用弾性接点部
２３１  弾力性湾曲アーム部分
２３２  先端部
２３５  帰零用接点本体
２５０  帰零用剛性支持レバー
Ａ１，Ａ２  進退方向
Ｃ  中心軸線
Ｃ１，Ｃ２  回転中心
Ｃ４，Ｃ５  中心軸線
ＣＳ，ＣＲ  中心軸線
Ｄ１，Ｄ２  進退方向
Ｆ１，Ｆ２  回動方向
Ｆｒ１，Ｆｒ３  揺動方向
Ｆｒ２  撓み方向
Ｇ１  湾曲方向
Ｇ２  戻り方向
Ｈ１，Ｈ２  回転方向
Ｊ１，Ｊ２  復針レバーの概略の変位方向
Ｌｒ，Ｌｓ  外周縁に沿う方向
Ｍ１，Ｍ２  回転方向
Ｎｒ，Ｎｓ  折曲方向
Ｐ１  揺動方向
Ｐ２  戻り方向
Ｑ１  揺動方向
Ｑ２  戻り方向
Ｓ１  電気的発停信号
Ｓ２  電気的帰零信号
Ｔ  時計の厚さ方向
Ｕ１  撓み方向
Ｖ１  撓み方向
Ｘ，Ｙ，Ｚ  方向（三次元直交座標系）
【図１】
0005466060.tif 000002
【図２】
0005466060.tif 000003
【図３】
0005466060.tif 000004
【図４】
0005466060.tif 000005
【図５】
0005466060.tif 000006
【図６】
0005466060.tif 000007
【図７】
0005466060.tif 000008
【図８】
0005466060.tif 000009
【図９】
0005466060.tif 000010
【図１０】
0005466060.tif 000011
【図１１】
0005466060.tif 000012
【図１２】
0005466060.tif 000013